(57)【要約】【目的】貼付片による各包装体の結束力を損なわずして貼付片の剥離作業を容易に行える包装体の連結構造物を提供する。【構成】包装体１Ａ〜１Ｃを部分的に重なり合うようにして並べ、その各包装体１Ａ〜１Ｃを隣り合うもの同士の物品収納部４と封止部５とに粘着する貼付片２で連結する。貼付片２はこれを包装体１Ａのみに粘着する短片部２１と各包装体１Ａ〜１Ｃに粘着する長片部２２とに分断するための切目９を有する。切目９に近接する長片部２２の縁には包装体１Ａの物品収納部４から封止部５上に突出する突片８が形成される。そして、その突片８を捲り上げて引っ張ることにより、貼付片２が短片部２１と長片部２２とに分断され、一方の短片部２１を包装体１Ａの表面上に残して長片部２２が各包装体１Ａ〜１Ｃから剥離する。【選択図】  図１
2004224415.tif 000002
【特許請求の範囲】
【請求項１】
物品を収納した物品収納部と該物品収納部を囲む鍔状の封止部とを有して成る複数個の包装体を部分的に重なり合うようにして並べ、その各包装体を隣り合うもの同士の物品収納部と封止部とに粘着する貼付片で連結した包装体の連結構造物において、前記貼付片はこれを一端部に位置する包装体のみに粘着する短片部と各包装体に粘着する長片部とに分断するための切目を有し、その切目に近接する長片部の縁には一端部に位置する包装体の物品収納部から封止部上に突出する突片が形成され、その突片を捲り上げて引っ張ることにより前記貼付片が短片部と長片部とに分断され、その一方の短片部を一端部に位置する包装体の表面上に残して他方の長片部が各包装体から剥離することを特徴とする包装体の連結構造物。
【請求項２】
切目が一端部に位置する包装体の物品収納部上に設けられることを特徴とする請求項１に記載した包装体の連結構造物。
【請求項３】
突片の裏面が非粘着面とされていることを特徴とする請求項１に記載した包装体の連結構造物。
【発明の詳細な説明】
【０００１】
【発明の属する技術分野】
本発明はスライスハムなどの加工食品をはじめとする物品を包蔵した包装体、それも粘着シールやラベルといった貼付片により複数個の包装体を連結した包装体の連結構造物に係わり、特に貼付片による各包装体の結束力を強固に保ちながら貼付片の剥離を容易に行えるようにした包装体の連結構造物に関する。
【０００２】
【従来の技術】
従来、商品の低価格販売を目的として、同種の物品を複数個纏めて販売することが一般に広く行われている。その一例として、数枚のスライスハムをプラスチックフィルムから成る包装材料で包装して個別販売が可能な包装体とし、その複数個を部分的に重なり合う状態に並べ、それらを販売価格などを記した粘着シールやラベルといった貼付片により連結したものがある。
【０００３】
そして、これを購入した消費者は、貼付片を引き剥がして各包装体を分離した後、各包装体の中から物品を個別に取り出すことができる。しかし、その種の連結構造物によれば、隣り合う包装体の物品収納部とその周囲の封止部とに貼付片が強力に粘着されるため、各包装体が販売前に不用意に分離するのを防止できるものの、これを購入した消費者にとって各包装体を分離すべく貼付片を引き剥がすことは至難であった。
【０００４】
そこで、消費者が各包装体を容易に分離できるよう、貼付片を各包装体の物品収納部のみに粘着せしめたものがある（例えば、特許文献１）。
【０００５】
【特許文献１】
特許第２９４７３４９号公報
【０００６】
【発明が解決しようとする課題】
然し乍ら、特許文献１に開示される物品包装単体の連結体は、上記のように貼付片（テープ片）が各包装体（物品包装単体）の物品収納部のみに粘着されるため各包装体の結束力が弱く、しかも貼付片には包装体に粘着されない物品収納部の間で各々ミシン目が形成されるため、そのミシン目の位置で貼付片が不用意に破断してしまう虞れがある。
【０００７】
又、各包装体を分離するときにはミシン目の部分を順に切断しなければならないという煩わしさがある。特に、係る連結体ではミシン目の部分を切断するだけで各包装体を分離できるとするが、貼付片をミシン目の部分で切断したときに、その切れ端が隣の包装体に粘着して隣り合う包装体を結合してしまう虞れがあり、この場合には貼付片の切れ端を粘着した包装体から剥離せしめることは容易でない。
【０００８】
本発明は以上のような事情に鑑みて成されたものであり、その目的は貼付片による各包装体の結束力を損なわずして貼付片の剥離作業を容易に行えるようにすることにある。
【０００９】
【課題を解決するための手段】
本発明は上記目的を達成するため、物品を収納した物品収納部と該物品収納部を囲む鍔状の封止部とを有して成る複数個の包装体を部分的に重なり合うようにして並べ、その各包装体を隣り合うもの同士の物品収納部と封止部とに粘着する貼付片で連結した包装体の連結構造物において、前記貼付片はこれを一端部に位置する包装体のみに粘着する短片部と各包装体に粘着する長片部とに分断するための切目を有し、その切目に近接する長片部の縁には一端部に位置する包装体の物品収納部から封止部上に突出する突片が形成され、その突片を捲り上げて引っ張ることにより前記貼付片が短片部と長片部とに分断され、その一方の短片部を一端部に位置する包装体の表面上に残して他方の長片部が各包装体から剥離することを特徴とする。
【００１０】
又、切目が一端部に位置する包装体の物品収納部上に設けられることを特徴とし、更に突片の裏面が非粘着面とされていることを特徴とする。
【００１１】
【発明の実施の形態】
以下、本発明の適用例を図面に基づいて詳しく説明すれば、図１は本発明に係る包装体の連結構造物を示した平面図、図２はその側面図、図３は同底面図である。これらの図で明らかなように、本例では三つの包装体１Ａ，１Ｂ，１Ｃを貼付片２で連結した構成とされる。又、各包装体１Ａ〜１Ｃは、ポリエチレンやポリプロピレンといった熱可塑性を有する二枚のプラスチックフィルムで物品３を挟み、その周囲をヒートシールして構成される。
【００１２】
本例において、物品３は数枚のスライスハムであり、これを収納した物品収納部４は円形状を成して物品の厚さ分だけ表面側が隆起される。一方、５は物品収納部を残して上下二枚のプラスチックフィルムをヒートシールして成る封止部であり、この封止部５は四角い鍔状にして物品収納部４を囲み、物品収納部４の気密性を保持する働きをする。尚、封止部５の一角は非溶着の開封部６とされ、この開封部６から上下のプラスチックフィルムを剥離して物品収納部４内の物品３を取り出し得るようになっている。
【００１３】
そして、以上のように構成される各包装体１Ａ〜１Ｃは、部分的に重なり合うようにして横列状に並べられ、その状態でそれらの表面側に貼られる貼付片２と裏面側に貼られる第二貼付片７とにより連結される。その貼付片２と第二貼付片７は、紙や樹脂フィルムで成る帯状の札類を基体とし、その裏側を粘着面としたものであり、このうち表側の貼付片２には商品の宣伝や販売価格などが記され、裏側の第二貼付片７には物品の原材料名や製造元などが記される。
【００１４】
又、貼付片２と第二貼付片７は、隣り合う包装体１Ａ，１Ｂ及び１Ｂ，１Ｃの物品収納部４と封止部５とに粘着され、それらの両端は夫れ夫れ両端部に位置する包装体１Ａ，１Ｃの物品収納部４に粘着される。特に、貼付片２は一端部に位置して表面が最上位となる包装体１Ａの表面上で突片８と切目９を形成する。
【００１５】
突片８は、切目９に近接して貼付片２の幅方向の一辺を部分的に突出させて成り、これは裏面が非粘着面とされて包装体１Ａの物品収納部４と封止部５の何れにも粘着されず、必要に応じて包装体１Ａの表面から容易に離間させ得るようになっている。又、その突片８は包装体１Ａの物品収納部４から封止部５上に突出してこれを容易に摘まみ得るようになっている。
【００１６】
一方、切目９は、貼付片２を短片部２１と長片部２２との左右二領域に分断するためのものであり、本例においてこれは包装体１Ａの物品収納部４上で突片８の片側から貼付片２を斜めに横切る方向に延びるミシン目とされ、これに近接する長片部２２の縁に突片８が一体として形成されるようにしてある。
【００１７】
尚、短片部２１は包装体１Ａのみに粘着し、長編部２２は一端部の包装体１Ａから他端部の包装体１Ｃまで連続して各包装体１Ａ〜１Ｃに粘着される。又、貼付片２（長片部２２）の裏面は切目９の位置から包装体１Ａの封止部５までの区間が非粘着面とされ、この区間が包装体１Ａの物品収納部４に粘着しないようにしてある。
【００１８】
ここで、以上のように構成される包装体の連結構造物において、各包装体１Ａ〜１Ｃを分離するには、先ず突片８を摘まんで捲り上げ、次いでその突片８を切目９の方向に沿って引っ張る。すると、図４のように貼付片２が切目９に沿って短片部２１と長片部２２とに分断し、短片部２１が包装体１Ａの物品収納部４に粘着されたまま、突片８に接続する長片部２２が一端部の包装体１Ａから順に剥離される。
【００１９】
これによれば、短片部２１を一端部に位置する包装体１Ａの表面上に残して長片部２２のみ剥離するために、かかる力を軽減して剥離作業を容易に行うことができる。
【００２０】
尚、貼付片２の長片部２２を剥離した状態で、各包装体１Ａ〜１Ｃは未だ裏面側の第二貼付片７により連結されているが、貼付片２の長片部２２さえ剥離すれば、後は各包装体１Ａ〜１Ｃの重合部分を表側から広げるようにするだけで各包装体１Ａ〜１Ｃを容易に分離することができる。
【００２１】
以上、本発明の好適な一例を説明したが、係る包装体は真空パックとしてスライスハムなどの加工食品を包装したものに限らず、例えば台紙と透明なプラスチックパッケージとの間に玩具その他の物品を収納したものなどでもよい。又、包装体は上記例のような三連構造に限らず、二連又は四連以上の連結構造物としてもよい。
【００２２】
一方、上記例のような第二貼付片に代えて、突片と切目をもつ貼付片により各包装体の表裏両面を連結するようにしてもよい。又、貼付片は帯状の方形であることに限らず、これを長円形にしてもよい。更に、切目は上記例のようなミシン目であることに限らず、突片の片側で貼付片の一部をその横断方向に向かって筋状に切り込むか、若しくは突片に隣接して貼付片の一部をＶ字形に切り欠くなどしてもよい。
【００２３】
【発明の効果】
以上の説明で明らかなように、本発明によれば、物品を収納した物品収納部と該物品収納部を囲む鍔状の封止部とを有して成る複数個の包装体を部分的に重なり合うようにして並べ、その各包装体を隣り合うもの同士の物品収納部と封止部とに粘着する貼付片で連結した包装体の連結構造物において、貼付片はこれを一端部に位置する包装体のみに粘着する短片部と各包装体に粘着する長片部とに分断するための切目を有し、その切目に近接する長片部の縁には一端部に位置する包装体の物品収納部から封止部上に突出する突片が形成され、その突片を捲り上げて引っ張ることにより貼付片が短片部と長片部とに分断され、その一方の短片部を一端部に位置する包装体の表面上に残して他方の長片部が各包装体から剥離する構成としたことから、貼付片による各包装体の結束力を強固に維持しながら、各包装体を分離する際には刃物などを使用せずに突片を摘まんで各包装体の分離に必要な長片部のみを楽々と剥離せしめることができる。
【００２４】
又、切目が一端部に位置する包装体の物品収納部上に設けられることから、輸送時などにおいて貼付片が不用意に破断することがなく、しかも突片の裏面が非粘着面とされていることから、これを容易に捲り上げることができる。
【図面の簡単な説明】
【図１】本発明に係る包装体の連結構造物の好適な一例を示した平面図
【図２】同連結構造物の側面図
【図３】同連結構造物の底面図
【図４】貼付片を剥離した状態を示す使用説明図
【符号の説明】
１Ａ〜１Ｃ  包装体
２  貼付片
２１  短片部
２２  長片部
３  物品
４  物品収納部
５  封止部
８  突片
９  切目
【図１】
2004224415.tif 000003
【図２】
2004224415.tif 000004
【図３】
2004224415.tif 000005
【図４】
2004224415.tif 000006